(57)【特許請求の範囲】
【請求項１】
薄板材による筒部とその下端を受ける底部とを有し、植物苗を生育するための鉢体からなる育苗ポットにおいて、前記筒部全周にその内面側から見て谷形状をなす谷折り部を縦ひだ状に形成し、この谷折り部の谷底線の全長を断裂することにより、その切断縁を谷底線に沿って互いに当接する常時閉じたスリットを形成してなり、
育苗ポット内の植物苗の根が成長に従って谷折り部の斜面に導かれて谷底線に向い、閉じたスリットを押し広げて外方に張出すことを特徴とする育苗ポット。
【請求項２】
前記筒部の谷折り部とその隣接位置の谷折り部との間をこれら両谷折り部に続く山形状をなす山折り部によって形成したことを特徴とする請求項１記載の育苗ポット。
【請求項３】
前記筒部の谷折り部とその隣接位置の谷折り部との間をこれら両谷折り部に続く中高の円弧状曲面部によって形成したことを特徴とする請求項１記載の育苗ポット。
【請求項４】
前記薄板材を土中微生物によって分解される紙や澱粉質等の生分解性材料によって形成したことを特徴とする請求項１記載の育苗ポット。
【発明の詳細な説明】
【０００１】
【発明の属する技術分野】
本発明は、植物苗を生育するための育苗ポットに関し、特に、定植後の苗の生育を妨げることなく苗と共に植床に植え込むことができる育苗ポットに関する。
【０００２】
【従来の技術】
育苗ポットは植物苗を生育して定植までの間使用する。育苗ポットは、土中微生物によって分解される紙や澱粉質等の生分解性材料によって形成することにより、定植時に苗を取り出すことなく育苗ポットのまま植床に定植することができるので、ポリエチレン製その他の合成樹脂製の育苗ポットについて避けることができない定植時の移植作業コストの問題を解決することができる。
【０００３】
【発明が解決しようとする課題】
しかしながら、上記生分解性材料による育苗ポットは、紙や澱粉質の材料が地中で分解されるまでの間は苗の根を育苗ポット内に閉じ込めることとなり、根の発育が妨げられて苗が老化し、生育不全による花付きの悪化や野菜等の収穫量低下を招く。
【０００４】
本発明の目的は、定植後の苗の生育を妨げることなく苗と共に植床に植え込むことができる育苗ポットを提供することにある。
【０００５】
【課題を解決するための手段】
上記課題を解決するために、薄板材による筒部とその下端を受ける底部とを有し、植物苗を生育するための鉢体からなる育苗ポットにおいて、前記筒部全周にその内面側から見て谷形状をなす谷折り部を縦ひだ状に形成し、この谷折り部の谷底線の全長を断裂することにより、その切断縁を谷底線に沿って互いに当接する常時閉じたスリットを形成してなり、 育苗ポット内の植物苗の根が成長に従って谷折り部の斜面に導かれて谷底線に向い、閉じたスリットを押し広げて外方に張出すことを特徴とする。
【０００６】
この育苗ポットは、筒部全周に谷折り部を分周して形成し、その谷底線全長に沿う常時閉じたスリットを形成したことから、この閉じたスリットは培土を鉢体内に保持し、かつ、側方からの入射光を遮断することから光背向性を有する根の伸張を損なうことがないので育苗中の苗の生育条件を確保することができ、また、鉢体内からスリットを押し広げて開口することができることから、苗を植床に定植する時に育苗ポットに植えたままであっても、苗の成長に従って筒部の内周面に達した根が谷折り部の斜面に導かれて谷底線に向い、閉じたスリットを押し広げて外部に伸張し、育苗ポットの外方の植床に達することができる。
【０００７】
前記筒部の谷折り部とその隣接位置の谷折り部との間をこれら両谷折り部に続く山形状をなす山折り部によって形成した場合は、山折り線と谷折り線を形成した薄板材によって筒部を簡易に構成することができる。
【０００８】
前記筒部の谷折り部とその隣接位置の谷折り部との間をこれら両谷折り部に続く中高の円弧状曲面部によって形成した場合は、鉢内培土による圧力が筒部内面に作用した時に中高の円弧状曲面部が扁平に変形することにより、谷折り部の谷底線上に形成したスリットの両切断縁が互いに密接して固く閉じられ、内部圧力に応じた保持力が発生するので、鉢内培土の量が多い場合でもスリットからの漏れを防止することができる。
【０００９】
前記薄板材を土中微生物によって分解される紙や澱粉質等の生分解性材料によって形成した場合は、苗と共に植床に植え込まれた育苗ポットが分解された後において筒部全周にわたり根が植床に張出し得るので、定植後の生育条件を改善することができる。
【００１０】
【発明の実施の形態】
図１は本発明の育苗ポットの構成例を示す一部破断斜視図である。
育苗ポット１は、薄板材によって形成した筒部２と、この筒部２の上端縁を形成するフランジ３と、同筒部２の下端を受ける底部４とを有し、底部４の中心に水抜き穴４ａを形成して植物苗を生育するための鉢体をなす。
【００１１】
上記筒部２は、その内面側から見て谷形状をなす谷折り部５と山形状をなす山折り部６を交互に繰り返して全周またはその一部に縦ひだ状に形成する。谷折り部５はその谷底線５ａの全長または一部を断裂することにより、対向する切断縁を谷底線５ａに沿って互いに当接する閉じたスリット７を形成する。谷底線５ａの全長を断裂する場合は、山折り形状をなす複数の山折り片を並べ、これらをフランジ３と底部４とによって互いに連結して筒状に構成する。
【００１２】
図２は図１の育苗ポットの筒部の横断面部分拡大図である。
各山折り部６に続く谷折り部５の谷底線５ａで断裂して形成したスリット７は、対向する切断縁を互いに当接することにより、その断裂口を常時閉じて側方からの入射光を遮断し、かつ、筒部２の形成材料の材質、板厚、スリット７の長さに応じた保持力を生じる一方、外方に押し広げることにより容易に変形して開口する。上記保持力は、スリット７の長さを短くすることによって増加するので、スリット７の総数を調節することによって必要な合計長さを確保しつつ任意の大きさに設定することができる。
【００１３】
上記スリット７は常時閉じて保持力と遮光性を有することから、育苗ポットの内部に培土を満たした時にスリット７から培土が漏れることなく鉢体内に保持することができ、かつ、光背向性を有する根の伸張を損なうことがないので苗の生育条件を確保することができる。
【００１４】
図３は図１の育苗ポットの作用説明図である。
スリット７は鉢体内から押し広げることによって開口しうることから、苗を植床に定植する場合に育苗ポット１に植えたままであっても、苗の成長に従って筒部２の内周面に達した根Ｃが谷折り部５の斜面に導かれて谷底線５ａに向い、閉じたスリット７を押し広げて外方に張出し、育苗ポット１の外周の植床Ｂに達することができる。
【００１５】
したがって、本発明の育苗ポットは、定植後の苗の生育を妨げることなく苗と共に植床に植え込むことができるので、簡易な構成によって定植作業のコストの低減と収穫成果の確保とを合わせて達成することができる。
【００１６】
また、上述の鉢体を形成する薄板材を土中微生物によって分解される紙や澱粉質等の生分解性材料によって形成した場合は、苗と共に植床に植え込まれた育苗ポットが分解された後に筒部全周にわたり根が植床に張出し得るので、定植後の生育条件を改善することができる。
【００１７】
図４は本発明の他の構成例を示す図２と同様の図である。前出と同様の構成部材はその符号を付してその説明を省略する。
筒部１２は、前記山折り部を中高の円弧状曲面部１３によって形成する。この円弧状曲面部１３は、その両端に続く谷折り部５，５とによって縦ひだ状の筒部１２を形成する。谷折り部５はその谷底線５ａの全長または一部を断裂することにより、対向する切断縁を谷底線５ａに沿って互いに当接する閉じたスリット７を形成する。
【００１８】
図５は図４の構成例による育苗ポットの作用説明図である。
鉢内培土Ａの圧力は筒部１２の内面に作用し、この内部圧力Ｄによって中高の円弧状曲面部１３が円弧形状１３ａから扁平に変形する。この変形によって谷底線５ａ上のスリット７の両切断縁が互いに密接して固く閉じられ、内部圧力Ｄに応じた保持力が発生するので、鉢内培土Ａの量が多い場合でもスリット７からの鉢内培土Ａの漏れを防止することができる。
【００１９】
なお、上述の鉢体は円形に限られず、楕円形、長円形、長方形等の一般の鉢形状の場合も同様の効果を奏することが明らかなので、その説明を省略する。
【００２０】
【発明の効果】
本発明の育苗ポットは以下の効果を奏する。筒部全周に谷折り部を分周して形成し、その谷底線全長に沿う常時閉じたスリットを形成したことから、この閉じたスリットは培土を鉢体内に保持し、かつ、側方からの入射光を遮断することから光背向性を有する根の伸張を損なうことがないので育苗中の苗の生育条件を確保することができ、また、鉢体内からスリットを押し広げて開口することができることから、苗を植床に定植する時に育苗ポットに植えたままであっても、苗の成長に従って筒部の内周面に達した根が谷折り部の斜面に導かれて谷底線に向い、閉じたスリットを押し広げて外部に伸張し、育苗ポットの外方の植床に達することができる。
【００２１】
したがって、本発明の育苗ポットは、定植後の苗の生育を妨げることなく苗と共に植床に植え込むことができるので、簡易な構成によって定植作業のコストの低減と収穫成果の確保とを合わせて達成することができる。
【００２２】
前記筒部の谷折り部とその隣接位置の谷折り部との間をこれら両谷折り部に続く山形状をなす山折り部によって形成した場合は、山折り線と谷折り線を形成した薄板材によって筒部を簡易に構成することができる。
【００２３】
前記筒部の谷折り部とその隣接位置の谷折り部との間をこれら両谷折り部に続く中高の円弧状曲面部によって形成した場合は、鉢内培土による圧力が筒部内面に作用した時に中高の円弧状曲面部が扁平に変形することにより、谷折り部の谷底線上に形成したスリットの両切断縁が互いに密接して固く閉じられ、内部圧力に応じた保持力が発生するので、鉢内培土の量が多い場合でもスリットからの漏れを防止することができる。
【００２４】
前記薄板材を土中微生物によって分解される紙や澱粉質等の生分解性材料によって形成した場合は、苗と共に植床に植え込まれた育苗ポットが分解された後において筒部全周にわたり根が植床に張出し得るので、定植後の生育条件を改善することができる。
【図面の簡単な説明】
【図１】本発明の育苗ポットの構成例を示す一部破断斜視図
【図２】図１の育苗ポットの筒部の横断面部分拡大図
【図３】図１の育苗ポットの作用説明図
【図４】本発明の他の構成例を示す図２と同様の図
【図５】図４の構成例による育苗ポットの作用説明図
【符号の説明】
１    育苗ポット
２    筒部
３    フランジ
４    底部
５    谷折り部
５ａ  谷底線
６    山折り部
７    スリット
１２    筒部
１３    円弧状曲面部
Ａ    鉢内培土
Ｂ    植床
Ｃ    根
Ｄ    内部圧力
【図１】
0003626001.tif 000002
【図２】
0003626001.tif 000003
【図３】
0003626001.tif 000004
【図４】
0003626001.tif 000005
【図５】
0003626001.tif 000006